【手続補正書】
【提出日】平成26年8月29日(2014.8.29)
【手続補正１】
【補正対象書類名】明細書
【補正対象項目名】００４６
【補正方法】変更
【補正の内容】
【００４６】
ユーザは、情報処理装置２０に、例えばメモリカード３１を装着し、情報処理装置２０が外部から受信、あるいは、コンテンツ記録メディア１３から再生するコンテンツをメモリカード３１に記録することができる。
また、情報処理装置２０は、例えばメモリカード３１に記録されたコンテンツを読み出して、再生することができる。
【手続補正２】
【補正対象書類名】明細書
【補正対象項目名】００５８
【補正方法】変更
【補正の内容】
【００５８】
リボケーション情報（Ｒｅｖｏｃａｔｉｏｎ  Ｌｉｓｔ）１３２は、不正機器、具体的には、記録再生装置等の情報処理装置や、メモリカード等の情報記憶装置等の不正機器の識別子を登録したリストである。発行者（認証局）の署名により改ざんを防止した構成となっている。
情報記憶装置のデータ処理部１１０は、認証局公開鍵１３５を適用して署名検証を実行し、署名検証の成立によって、リボケーション情報１３２の正当性を確認して、リボケーション情報１３２を適用した不正装置の判別を行う。
【手続補正３】
【補正対象書類名】明細書
【補正対象項目名】００７０
【補正方法】変更
【補正の内容】
【００７０】
［３．リボケーション情報の構成例について］
図６は、本実施形態に係るリボケーション情報（＝リボケーションリスト）を示す図である。
リボケーション情報（ＲＶＮ）は、不正機器として判別されたリボーク対象の装置ＩＤ、例えば、情報記憶装置であるメモリカードのメモリカードＩＤ（＃０〜＃６０）と、情報処理装置（ホスト装置）の情報処理装置ＩＤ（＃０〜＃１００）が登録されたリストＬＳＴ１，ＬＳＴ２を含む。
【手続補正４】
【補正対象書類名】明細書
【補正対象項目名】００７５
【補正方法】変更
【補正の内容】
【００７５】
［４．情報記憶装置のメディア公開鍵証明書の構成例について］
図７は、本実施形態に係る情報記憶装置３０の保持する情報記憶装置の公開鍵証明書、すなわちメディア公開鍵証明書の一例を示す図である。
図７に示す証明書（Ｃｅｒｔｉｆｉｃａｔｅ）２００は、タイプ（ＴＹＰＥ）エリア２０１、メディア（Ｍｅｄｉａ）ＩＤエリア２０２、メディア公開鍵（Ｍｅｄｉａ  Ｐｕｂｌｉｃ  Ｋｅｙ）エリア２０３、および署名（Ｓｉｇｎａｔｕｒｅ）エリア２０４を有する。
【手続補正５】
【補正対象書類名】明細書
【補正対象項目名】００８２
【補正方法】変更
【補正の内容】
【００８２】
通信ＩＦ２４０を介して、例えばメモリカード等の情報記憶装置３０との通信を行う。
データ処理部２１０は、プログラム実行機能を持つＣＰＵ２１１、ＲＡＭ２１２等によって構成される。
記憶部２２０は、基本的に自由なアクセスが許容されるユーザデータ領域２２１と、自由なアクセスの許容されないセキュア領域２２２に区分されている。
セキュア領域２２２には、
リボケーション情報２３２、
ホスト秘密鍵２３３、
ホスト公開鍵証明書２３４、
認証局公開鍵２３５、
が記録される。
【手続補正６】
【補正対象書類名】明細書
【補正対象項目名】００９２
【補正方法】変更
【補正の内容】
【００９２】
ＰＡＤアクセス（Ｐｒｏｔｅｃｔｅｄ  Ａｒｅａ  Ｄａｔａ  Ａｃｃｅｓｓ：保護されるエリアデータアクセス）エリア３０２には、情報記憶装置の秘密エリアに対するアクセス許容情報が記録される。例えばブロック単位の書き込みや読み取りに関する許容情報が記録される。
【手続補正７】
【補正対象書類名】明細書
【補正対象項目名】０１１６
【補正方法】変更
【補正の内容】
【０１１６】
次に、図１１に示すステップＳ１５において、
情報処理装置（Ｈ）は、情報記憶装置（Ｍ）から受信したＭＡＣ値（Ｍｍ）に対して、共有鍵（ＢＫ）を適用したＭａｃ検証を実行する。
具体的には、ＭＡＣ値（Ｍｍ）に対して、共有鍵（ＢＫ）を適用して生成するリボケーション情報のバージョン（Ｍｖｅｒ）と、情報記憶装置（Ｍ）から受信したリボケーション情報のバージョン（Ｍｖｅｒ）とを比較して両者が一致するか否かを検証する。
【手続補正８】
【補正対象書類名】明細書
【補正対象項目名】０１２１
【補正方法】変更
【補正の内容】
【０１２１】
なお、情報記憶装置（Ｍ）から受信したリボケーション情報のバージョン（Ｍｖｅｒ）が、情報処理装置（Ｈ）のリボケーション情報のバージョン（Ｈｖｅｒ）と一致する場合は、情報処理装置（Ｈ）から情報記憶装置（Ｍ）へ処理完了通知を送信して処理を終了してよい。
【手続補正９】
【補正対象書類名】明細書
【補正対象項目名】０１５６
【補正方法】変更
【補正の内容】
【０１５６】
なお、情報記憶装置（Ｍ）から受信したリボケーション情報のバージョン（Ｍｖｅｒ）が、情報処理装置（Ｈ）のリボケーション情報のバージョン（Ｈｖｅｒ）と一致する場合は、情報処理装置（Ｈ）から情報記憶装置（Ｍ）へ処理完了通知を送信して処理を終了してよい。
【手続補正１０】
【補正対象書類名】明細書
【補正対象項目名】０１６９
【補正方法】変更
【補正の内容】
【０１６９】
なお、情報記憶装置（Ｍ）から受信したリボケーション情報のバージョン（Ｍｖｅｒ）が、情報処理装置（Ｈ）のリボケーション情報のバージョン（Ｈｖｅｒ）と一致する場合は、情報処理装置（Ｈ）から情報記憶装置（Ｍ）へ処理完了通知を送信して処理を終了してよい。
【手続補正１１】
【補正対象書類名】明細書
【補正対象項目名】０１８８
【補正方法】変更
【補正の内容】
【０１８８】
ステップＳ１０７において、
情報処理装置（Ｈ）は、以下の処理を行う。
乱数（Ｈｋ）を生成、
乱数（Ｈｋ）と、メディアから受信した変換値（Ｍｖ）に基づく規定アルゴリズムに従った変換処理により、共有鍵としてのセッションキー（＝バスキー（ＢＫ））を生成、
乱数（Ｈｋ）に基づく規定アルゴリズムに従った変換処理により変換値（Ｈｖ）を生成、
変換値（Ｈｖ）と、メディアから受信した乱数（Ｍｎ）に対して、情報処理装置（Ｈ）の秘密鍵（Ｈｐｒｉｖ）を適用して、以下の式に従って、署名（Ｈｓｉｇ）を生成、
Ｈｓｉｇ＝ＥＣＤＳＡ  Ｓｉｇｎ（Ｈｐｒｉｖ，Ｈｖ||Ｍｎ）
【手続補正１２】
【補正対象書類名】明細書
【補正対象項目名】０１９４
【補正方法】変更
【補正の内容】
【０１９４】
本実施例において、図１７に示すステップＳ１００の相互認証処理は、この図１８〜図２０を参照して説明した処理に従って実行される。
図１７に示すステップＳ２００のリボケーション情報のバージョン比較処理は、図１８に示すステップＳ１０５において、情報記憶装置（Ｍ）が情報処理装置（Ｈ）に送信したバージョン（Ｍｖｅｒ）を適用して実行する。
【手続補正１３】
【補正対象書類名】明細書
【補正対象項目名】０２０４
【補正方法】変更
【補正の内容】
【０２０４】
入出力インタフェース８０５に接続されている通信部８０６は、例えばサーバやホストとの通信を実行する。記憶部８０７は、データの記憶領域であり、先に説明したようにアクセス制限のあるセキュア領域８１１、自由にデータ記録読み取りができるユーザデータ領域８１２を有する。
【手続補正１４】
【補正対象書類名】明細書
【補正対象項目名】０２１３
【補正方法】変更
【補正の内容】
【０２１３】
（１３）前記データ処理部は、前記情報処理装置と前記通信相手装置との間で相互認証処理を実行し、該相互認証処理の際に前記バージョン情報と、前記バージョン情報を含むデータに対するデジタル署名を前記通信相手装置から受信し、受信したデジタル署名の検証により、受信したバージョン情報の正当性確認処理を行い、正当性が確認された場合に、前記バージョン比較処理を実行する前記（８）〜（１２）いずれかに記載の情報処理装置。
（１４）前記デジタル署名は、前記通信相手装置の秘密鍵を適用して生成され、前記データ処理部は、前記通信相手装置の公開鍵を適用して前記デジタル署名の検証を行う前記（１３）に記載の情報処理装置。
【手続補正１５】
【補正対象書類名】明細書
【補正対象項目名】０２１９
【補正方法】変更
【補正の内容】
【０２１９】
１１  放送局
１２  コンテンツサーバ
１３  コンテンツ記録メディア
２０  情報処理装置
２１  記録再生専用器
２２  ＰＣ
２３  携帯端末
３０  情報記憶装置
３１  メモリカード
１１０  データ処理部
１１１  ＣＰＵ
１１２  ＲＡＭ
１２０  記憶部
１２１  ユーザデータ領域
１２２  セキュア領域
１３１  秘密エリア
１３２  リボケーション情報
１３３  メディア秘密鍵
１３４  メディア公開鍵証明書
１３５  認証局公開鍵
１４０  通信ＩＦ
２１０  データ処理部
２１１  ＣＰＵ
２１２  ＲＡＭ
２２０  記憶部
２２１  ユーザデータ領域
２２２  セキュア領域
２３２  リボケーション情報
２３３  ホスト秘密鍵
２３４  ホスト公開鍵証明書
２３５  認証局公開鍵
２４０  通信ＩＦ
７０１  ＣＰＵ
７０２  ＲＯＭ
７０３  ＲＡＭ
７０４  バス
７０５  入出力インタフェース
７０６  入力部
７０７  出力部
７０８  記憶部
７０９  通信部
７１０  ドライブ
７１１  リムーバブルメディア
８０１  ＣＰＵ
８０２  ＲＯＭ
８０３  ＲＡＭ
８０４  バス
８０５  入出力インタフェース
８０６  通信部
８０７  記憶部
８１１  セキュア領域
８１２  ユーザデータ領域
【手続補正１６】
【補正対象書類名】図面
【補正対象項目名】図８
【補正方法】変更
【補正の内容】
【図８】
2013073437.tif 000001